(57)【要約】【課題】輸送時にタブが切れたり、外層が剥離して開封したりすることが少なく、開封すると液体等の追加投入物を投入でき、かつ追加投入物による内容物の処理後に追加投入物を排出できる袋体の提供。【解決手段】本発明の袋体は、単数又は複数の液体非透過性フィルムで形成されており、かつ液体非透過性フィルムの少なくとも１つは、内層及び剥離可能な外層を含む積層フィルムである。この袋体は、液体非透過性フィルムの周縁部の一部又は全部をシールして袋部を形成する周縁シール部；周縁シール部の少なくとも一部を除去して袋部を開封するように袋体を切り裂き可能な切り裂き案内部；及び剥離可能な外層の剥離きっかけとなる剥離きっかけ部を備える。また、この袋体を切り裂き案内部から切り裂くと、袋部が開封されると共に、剥離きっかけ部の新たな辺が形成されて剥離きっかけ部がつまみ易くなり、かつ剥離可能な外層を剥離すると内層の開口が露出する。【選択図】図１
2015147619.tif 000002
【特許請求の範囲】
【請求項１】
単数又は複数の液体非透過性フィルムで形成されており、かつ前記液体非透過性フィルムの少なくとも１つは、内層及び剥離可能な外層を含む積層フィルムである、袋体であって、
前記液体非透過性フィルムの周縁部の一部又は全部をシールして袋部を形成している、周縁シール部；
前記周縁シール部の少なくとも一部を除去して前記袋部を開封するようにして前記袋体を切り裂き可能な、切り裂き案内部；及び
前記剥離可能な外層の剥離きっかけとなる剥離きっかけ部；
を備えており、
前記袋体を前記切り裂き案内部から切り裂くと、前記袋部が開封されるのと共に、前記剥離きっかけ部の新たな辺が形成されて、前記剥離きっかけ部がつまみ易くなり、かつ前記剥離可能な外層を剥離すると、前記内層の開口が露出する、袋体。
【請求項２】
前記液体非透過性のフィルムのうちの、前記剥離きっかけ部に相対する部分が少なくとも部分的に除去されて、前記剥離きっかけ部の内側面が少なくとも部分的に露出している、請求項１に記載の袋体。
【請求項３】
前記周縁シール部が、前記液体非透過性フィルムの周縁部の一部のみをシールしており、かつ前記袋体が、前記液体非透過性フィルムの周縁部の内側の一部をシールしている内周シール部であって、前記周縁シール部と一体となって前記袋部を密封している内周シール部をさらに備えている、請求項１又は２に記載の袋体。
【請求項４】
前記外層の前記剥離きっかけ部と前記外層の残部との境界部に、前記内層を概ね貫通する剥離きっかけ用内層ハーフカットをさらに備える、請求項１〜３のいずれか一項に記載の袋体。
【請求項５】
前記積層フィルムの外層側から刻設された外層ハーフカットを有し、それによって前記剥離きっかけ部をつまんで前記外層を剥離したときに、前記積層フィルムを構成する外層のうちの一部のみが剥離される、請求項１〜４のいずれか１項に記載の袋体。
【請求項６】
前記袋部に内容物が収納されている、請求項１〜５のいずれか１項に記載の袋体。
【請求項７】
前記内容物は、追加投入物との接触によって処理されるものである、請求項６に記載の袋体。
【請求項８】
前記追加投入物は、液体である、請求項７に記載の袋体。
【請求項９】
前記内容物は、液体である前記追加投入物との接触によって浸漬処理されるものである、請求項８に記載の袋体。
【請求項１０】
前記内層の開口がパンチングによって形成されている、請求項１〜９のいずれか１項に記載の袋体。
【請求項１１】
前記内層の開口の輪郭に対応する箇所に前記内層を概ね貫通する開口用内層ハーフカットが形成されている、請求項１〜９のいずれか１項に記載の袋体。
【請求項１２】
前記開口は、液体を排出させることができる、請求項１０又は１１に記載の袋体。
【請求項１３】
前記内層は、最内層としてシーラント層を含む、請求項１〜１２のいずれか１項に記載の袋体。
【請求項１４】
前記周縁シール部は、前記袋体の上部の少なくとも一部をシールしている上部シール部、前記袋体の側部の少なくとも一部をシールしている側部シール部、及び／又は前記袋体の底部の少なくとも一部をシールしている底部シール部を有する、請求項１〜１３のいずれか１項に記載の袋体。
【請求項１５】
下記方法（Ｉ）〜（Ｖ）のいずれかにより形成される、請求項１〜１４のいずれか１項に記載の袋体：
前記内層同士が向かい合い、かつ折込部がＭ字状になるように、前記積層フィルムを折り畳んで、折り畳まれたフィルムの上部及び両側部を前記周縁シール部でシールする方法（Ｉ）；
前記内層同士が向かい合い、かつ折込部が一方の側部になるように、前記積層フィルムを折り畳んで、折り畳まれたフィルムの他方の側部、上部及び底部を前記周縁シール部でシールする方法（ＩＩ）；
前記内層同士が向かい合い、かつ折込部が一方の側部となるように、前記積層フィルムを折り畳み、２つ折りされた底部材を折り畳まれたフィルムの底部に入れて、前記折り畳まれたフィルムの底部と前記底部材の少なくとも一部とを前記周縁シール部でシールし、かつ前記折り畳まれたフィルムの他方の側部及び上部を前記周縁シール部でシールする方法（ＩＩＩ）；
前記積層フィルムと他のフィルムを重ねて上部、両側部及び底部を前記周縁シール部でシールする方法（ＩＶ）；又は
２つ折りされた底部材を前記積層フィルムと他のフィルムで挟み込んで上部、両側部及び底部を前記周縁シール部でシールする方法（Ｖ）。
【請求項１６】
前記袋部は、前記方法（Ｉ）、（ＩＩＩ）又は（Ｖ）により形成され、かつ前記袋部の底部は、船底形である、請求項１５に記載の袋体。
【請求項１７】
自立性である、請求項１６に記載の袋体。
【発明の詳細な説明】
【技術分野】
【０００１】
本発明は、内容物を収納可能な袋体に関し、特に、内容物を液体等の追加投入物に接触させて処理し、その後、追加投入物を分離するために利用される袋体に関する。
【背景技術】
【０００２】
従来、袋を開封して液体を注ぎ、内容物を液体と接触させて浸漬処理に供した後に、液体を排出させる機能を有する袋が知られていた。
【０００３】
例えば、特許文献１には、再封可能なチャック付きのスタンディングパウチが記述されている。このスタンディングパウチの製造においては、凹凸を有するヒートシールバーを使用して、このチャックをパウチ胴部に接合し、シールバーの凹部によって、チャックとパウチ胴部が接合していない「非接合面」を形成し、他方でシールバーの凸部によって、チャックとパウチ胴部が接合している「接合面」を形成する。したがって、特許文献１のスタンディングパウチは、スタンディングパウチ内の内容物に水を注いで浸漬処理をした後で、スタンディングパウチのチャックが再封された状態であっても、非接合面から液体のみを排出することができる。
【０００４】
また、従来、剥離可能な外層を用いることによって、使用前には内容物を含む袋部が密封されているが、使用時には内容物を排出させる機能を提供する袋も知られていた。
【０００５】
例えば、特許文献２には、剥離可能な外層、剥離層及び内層から成る胴部を備えるスタンディングパウチであって、剥離可能な外層を剥離するきっかけとなる未シールタブ部がパウチの周縁部縁から突出しているスタンディングパウチが記述されている。
【０００６】
このスタンディングパウチの未シールタブ部の端縁近傍には、パウチの内側から内層を概ね貫通する深さで外層剥離用ハーフカットラインが刻設されている。また、内層の他の箇所には、内層を概ね貫通する深さで環状のハーフカットラインが形成されている。それ故に、未シールタブ部をつまんで、外層剥離用ハーフカットライン付近から外層を剥離して、環状のハーフカットラインに沿って内層が除去されて形成される開口から、内容物である揮散性物質を揮散させることができる。
【先行技術文献】
【特許文献】
【０００７】
【特許文献１】特開２００８−２７３５３０号公報
【特許文献２】特開２００９−０２９４６９号公報
【発明の概要】
【発明が解決しようとする課題】
【０００８】
しかしながら、特許文献１に記載のスタンディングパウチは、注水するための開封口と排水するための排水口が同一であるために、注水後に再封する必要がある。また、このスタンディングパウチには、再封するためのチャック部材も設けなければならないが、そのチャック部材を胴部材と接合するために、特殊な凹凸を有するヒートシールバーを使うので、コストが掛かる。さらに、チャック部材を胴部材と接合する際に、位置合わせのために高精度な接合が要求される。
【０００９】
また、特許文献２に記載のスタンディングパウチは、剥離可能な外層を備えるが、水等の追加投入物を投入する機構を備えていない。さらに、剥離可能な外層を剥離するための未シールタブ部が、パウチの周縁部縁から突出しているので、輸送時に未シールタブ部が他のパウチと接触すること等によって、未シールタブ部が切れてしまう、未シールタブ部から外層が剥離して開封しまう等の可能性がある。
【００１０】
したがって、本発明は、輸送時にタブが切れたり、外層が剥離して開封したりする可能性が少なく、開封することで液体等の追加投入物を投入でき、かつ追加投入物による内容物の処理後に追加投入物をスムーズに排出できる袋体を提供することを目的とする。
【課題を解決するための手段】
【００１１】
上記課題を解決するために、本発明は以下の解決手段を採用する：
［１］単数又は複数の液体非透過性フィルムで形成されており、かつ前記液体非透過性フィルムの少なくとも１つは、内層及び剥離可能な外層を含む積層フィルムである、袋体であって、
前記液体非透過性フィルムの周縁部の一部又は全部をシールして袋部を形成している、周縁シール部；
前記周縁シール部の少なくとも一部を除去して前記袋部を開封するようにして前記袋体を切り裂き可能な、切り裂き案内部；及び
前記剥離可能な外層の剥離きっかけとなる剥離きっかけ部；
を備えており、
前記袋体を前記切り裂き案内部から切り裂くと、前記袋部が開封されるのと共に、前記剥離きっかけ部の新たな辺が形成されて、前記剥離きっかけ部がつまみ易くなり、かつ前記剥離可能な外層を剥離すると、前記内層の開口が露出する、袋体。
［２］前記液体非透過性のフィルムのうちの、前記剥離きっかけ部に相対する部分が少なくとも部分的に除去されて、前記剥離きっかけ部の内側面が少なくとも部分的に露出している、［１］に記載の袋体。
［３］前記周縁シール部が、前記液体非透過性フィルムの周縁部の一部のみをシールしており、かつ前記袋体が、前記液体非透過性フィルムの周縁部の内側の一部をシールしている内周シール部であって、前記周縁シール部と一体となって前記袋部を密封している内周シール部をさらに備えている、［１］又は［２］に記載の袋体。
［４］前記外層の前記剥離きっかけ部と前記外層の残部との境界部に、前記内層を概ね貫通する剥離きっかけ用内層ハーフカットをさらに備える、［１］〜［３］のいずれか１項に記載の袋体。
［５］前記積層フィルムの外層側から刻設された外層ハーフカットを有し、それによって前記剥離きっかけ部をつまんで前記外層を剥離したときに、前記積層フィルムを構成する外層のうちの一部のみが剥離される、［１］〜［４］のいずれか１項に記載の袋体。
［６］前記袋部に内容物が収納されている、［１］〜［５］のいずれか１項に記載の袋体。
［７］前記内容物は、追加投入物との接触によって処理されるものである、［６］に記載の袋体。
［８］前記追加投入物は、液体である、［７］に記載の袋体。
［９］前記内容物は、液体である前記追加投入物との接触によって浸漬処理されるものである、［８］に記載の袋体。
［１０］前記内層の開口がパンチングによって形成されている、［１］〜［９］のいずれか１項に記載の袋体。
［１１］前記内層の開口の輪郭に対応する箇所に前記内層を概ね貫通する開口用内層ハーフカットが形成されている、［１］〜［９］のいずれか１項に記載の袋体。
［１２］前記開口は、液体を排出させることができる、［１０］又は［１１］に記載の袋体。
［１３］前記内層は、最内層としてシーラント層を含む、［１］〜［１２］のいずれか１項に記載の袋体。
［１４］前記周縁シール部は、前記袋体の上部の少なくとも一部をシールしている上部シール部、前記袋体の側部の少なくとも一部をシールしている側部シール部、及び／又は前記袋体の底部の少なくとも一部をシールしている底部シール部を有する、［１］〜［１３］のいずれか１項に記載の袋体。
［１５］下記方法（Ｉ）〜（Ｖ）のいずれかにより形成される、［１］〜［１４］のいずれか１項に記載の袋体：
前記内層同士が向かい合い、かつ折込部がＭ字状になるように、前記積層フィルムを折り畳んで、折り畳まれたフィルムの上部及び両側部を前記周縁シール部でシールする方法（Ｉ）；
前記内層同士が向かい合い、かつ折込部が一方の側部になるように、前記積層フィルムを折り畳んで、折り畳まれたフィルムの他方の側部、上部及び底部を前記周縁シール部でシールする方法（ＩＩ）；
前記内層同士が向かい合い、かつ折込部が一方の側部となるように、前記積層フィルムを折り畳み、２つ折りされた底部材を折り畳まれたフィルムの底部に入れて、前記折り畳まれたフィルムの底部と前記底部材の少なくとも一部とを前記周縁シール部でシールし、かつ前記折り畳まれたフィルムの他方の側部及び上部を前記周縁シール部でシールする方法（ＩＩＩ）；
前記積層フィルムと他のフィルムを重ねて上部、両側部及び底部を前記周縁シール部でシールする方法（ＩＶ）；又は
２つ折りされた底部材を前記積層フィルムと他のフィルムで挟み込んで上部、両側部及び底部を前記周縁シール部でシールする方法（Ｖ）。
［１６］前記袋部は、前記方法（Ｉ）、（ＩＩＩ）又は（Ｖ）により形成され、かつ前記袋部の底部は、船底形である、［１５］に記載の袋体。
［１７］自立性である、［１６］に記載の袋体。
【発明の効果】
【００１２】
本発明の袋体によれば、袋体を切り裂くことによって剥離きっかけ部の新たな辺が形成されて、剥離きっかけ部がつまみ易くなるので、切り裂きの前には剥離きっかけ部が袋体の周縁部から外側に向かって突出している必要がなく、又はそのような必要が少なく、したがって袋体の輸送時に剥離きっかけ部の損傷、袋体からの剥離等を抑制することができる。
【００１３】
また、本発明の袋体によれば、袋体を切り裂き案内部から切り裂いて開封できるので、使用時に、袋部内への水等の追加投入物の投入を行うことができる。
【００１４】
さらに、本発明の袋体によれば、外層を剥離することによって内層の開口が露出されるので、追加投入物による内容物の処理後に、追加投入物の排出を行なうことができる。これに関連して、袋体を切り裂き案内部から切り裂いて開封することによって、剥離きっかけ部の新たな辺が形成されて、剥離きっかけ部がつまみ易くなるので、開封前に外層の剥離を行うという使用者の誤りを避けることができる。
【図面の簡単な説明】
【００１５】
【図１】図１は、本発明の第１の実施形態に係る袋体の斜視図である。
【図２】図２は、図１の袋体の正面図である。
【図３】図３は、図２の線Ａ−Ａ’における袋体の断面によって袋体の使用法を示す状態図である。
【図４】図４は、図２の線Ｂ−Ｂ’における袋体の断面によって袋体の使用法を示す状態図である。
【図５】図５は、本発明の第２の実施形態に係る袋体の正面図である。
【図６】図６は、図５の線Ａ−Ａ’における袋体の断面によって袋体の使用法を示す状態図である。
【図７】図７は、本発明の第３の実施形態に係る袋体の斜視図である。
【図８】図８は、図７の袋体の正面図である。
【図９】図９は、図８の線Ａ−Ａ’における袋体の断面によって袋体の使用法を示す状態図である。
【発明を実施するための形態】
【００１６】
＜袋体＞
本発明の袋体は、単数又は複数の液体非透過性フィルムで形成されており、かつ液体非透過性フィルムの少なくとも１つは、内層及び剥離可能な外層を含む積層フィルムである。
【００１７】
本発明の袋体は、液体非透過性フィルムの周縁部の一部又は全部をシールして袋部を形成している周縁シール部；この周縁シール部の少なくとも一部を除去して袋部を開封するようにして袋体を切り裂き可能な、切り裂き案内部；及び、上記剥離可能な外層の剥離きっかけとなる剥離きっかけ部；を備えている。
【００１８】
以下、図面を参照して本発明の袋体を説明する。ここで、図１〜４は、本発明の袋体の第１の実施形態を示しており、また、図５及び６は、本発明の袋体の第２の実施形態を示している。更に、図７〜９は、本発明の第３の実施形態を示している。
【００１９】
具体的には、図１は、本発明の袋体の第１の実施形態の斜視図であり、図２は、図１の袋体の正面図であり、かつ図３及び４はそれぞれ、図２の線Ａ−Ａ’及び線Ｂ−Ｂ’における袋体の断面によって袋体の使用法を示す状態図である。なお、図３（ａ）と図４（ａ）、図３（ｂ）と図４（ｂ）、図３（ｃ）と図４（ｃ）、及び図３（ｄ）と図４（ｄ）は、それぞれ同じタイミングにおける袋体１の部分断面図を示している。
【００２０】
また、図５は、本発明の袋体の第２の実施形態の正面図であり、かつ図６は、図５の線Ａ−Ａ’における袋体の断面によって袋体の使用法を示す状態図である。
【００２１】
更に、図７は、本発明の袋体の第３の実施形態の斜視図であり、図８は、図７の袋体の正面図であり、かつ図９は、図８の線Ａ−Ａ’における袋体の断面によって袋体の使用法を示す状態図である。
【００２２】
本発明の袋体を切り裂き案内部から切り裂くと、袋部が開封される。つまり、本発明の袋体を切り裂き案内部から切り裂く前は、袋部は密封されている。したがって、例えば、袋体の輸送時には袋部は密封されているので、袋部内の雰囲気を安定に保つことができる。一方で、袋体を切り裂き案内部から裂いて袋部を開封することによって、袋部に追加投入物を投入可能になる。
【００２３】
また、本発明の袋体を切り裂き案内部から切り裂くと、外層の剥離きっかけとなる剥離きっかけ部の新たな辺が形成されて、その剥離きっかけ部がつまみ易くなる。したがって例えば、剥離きっかけ部は、袋体の周縁部から外方へ突出していないことによって、袋体の輸送時に損傷し難く、一方で、袋体を切り裂き案内部から切り裂いて剥離きっかけ部の新たな辺を形成することによって、剥離きっかけ部をつまみ易いようにすることができる。したがって、本発明の袋体は、剥離きっかけ部の耐久性とつまみ易さとを両立できる。
【００２４】
また、本発明の袋体の外層を剥離すると、内層の開口が露出する。つまり、剥離きっかけ部をつまんで外層を剥離するまでは、袋体の内層から内容物及び／又は追加投入物が排出され難い一方で、外層を剥離して内層の開口を露出させると、内層の開口を通して、袋体から内容物及び／又は追加投入物を排出することが可能になる。したがって、本発明の袋体は、袋部から内容物及び／又は追加投入物を排出する時機を制御して、袋体に浸漬処理機能、水切り機能、又は湯切り機能等を付与することができる。
【００２５】
図１〜４で示す本発明の袋体の第１の実施形態では、開封前の袋部３は、周縁シール部２と内周シール部１１によって密封されており、袋体１の剥離きっかけ部４は、周縁シール部２と内周シール部１１とで囲まれていることによって、つまみ難い状態になっている（図１、図２、図３（ａ）、図４（ａ））。
【００２６】
これに対して、袋体１を切り裂き案内部５から切り裂くと、周縁シール部２の上部シール部は、切り裂き予定線に沿って切り取られるので、剥離きっかけ部４は、周縁シール部２に影響されずにつまみ易くなる（図３（ｂ））。
【００２７】
また、このように上部シール部を、切り裂き予定線に沿って切り取ると、袋部３の上部が開くので、袋部３に水等の追加投入物を投入して、内容物１５を処理できるようになる（図４（ｂ））。
【００２８】
その後、剥離きっかけ部４をつまんで外層９を剥離すると（図３（ｃ）及び（図４（ｃ）））、開口用内層ハーフカット１３に囲まれた内層８の部分が、外層９に付着した状態で随伴除去されて、内層８に開口６が形成され（図４（ｃ））、開口６から排水を行なうことができる（図４（ｄ））。
【００２９】
なお、本発明の袋体の第１の実施形態では、図１に示されるように、袋体１の底部は船底形になっているので、袋体１は自立することができ、また比較的大きな内容物を収納できる。
【００３０】
本発明の袋体は、内容物を収容可能な容器、浸漬処理パウチ、水切りパウチ、湯切りパウチ又はスタンディングパウチとして利用されることができる。
【００３１】
［液体非透過性フィルム］
上述の通り、本発明の袋体は、液体非透過性フィルムで形成されているので、液体非透過性フィルムについて以下に説明する。
【００３２】
本発明の袋体を形成する液体非透過性フィルムの少なくとも１つは、内層及び剥離可能な外層を含む積層フィルムである。
【００３３】
内層及び剥離可能な外層を含む積層フィルムのみで袋体を形成するときには、積層フィルムを折り畳んで袋体の胴部材とすることができる。
【００３４】
一方で、複数の液体非透過性フィルムで袋体を形成するときには、内層及び剥離可能な外層を含む積層フィルムと他の液体非透過性フィルムとを向い合せてシールして、袋体の胴部材とすることができる。
【００３５】
例えば、図１に示される本発明の第１の実施形態の袋体１は、一対の液体非透過性フィルムにより形成される。その場合、図３及び４に示されるように、一方の液体非透過性フィルムは、内層８及び剥離可能な外層９を含む積層フィルム７であるが、他方の液体非透過性フィルム１０は、液体非透過性を有する限り限定されず、液体非透過性フィルム７と同じであるか、又は異なってよい。
【００３６】
ここで、液体非透過性フィルム１０が、内層８及び剥離可能な外層９を含む積層フィルム７以外のフィルムであるときには、液体非透過性フィルム１０としては、各種の液体充填袋体に用いられている柔軟なフィルムを用いてよく、例えば、プラスチック、防水加工された紙又は布などを主体とする単層又は多層フィルムを用いてよい。
【００３７】
積層フィルム７は、内層８及び剥離可能な外層９を含むので、内層及び剥離可能な外層について以下に説明する。
【００３８】
〔内層〕
内層は、袋体を形成したときに袋体の内側又は内容物側を向く層である。内層は、積層フィルムに液体非透過性を付与するために、基材層として、市販の樹脂フィルム、押出し樹脂フィルムなどを含んでよい。
【００３９】
基材層としては、例えば、ポリエチレンテレフタレートフィルム（ＰＥＴ）、低密度ポリエチレンフィルム（ＬＤＰＥ）、中密度ポリエチレンフィルム（ＭＤＰＥ）、高密度ポリエチレンフィルム（ＨＤＰＥ）、線状低密度ポリエチレンフィルム（ＬＬＤＰＥ）、ポリプロピレンフィルム（ＰＰ）、ナイロンフィルム（Ｎｙ）などを、単独で又は組み合わせて使用してよい。
【００４０】
また、内層は、最内層としてシーラント層を含むことが好ましい。シーラント層は、単数又は複数の液体非透過性フィルムをシールするための層である。
【００４１】
シーラント層の材料は、封止対象の材質によって選択されるが、例えば、ＬＤＰＥ、ＬＬＤＰＥ、ＰＰ、エチレン−メタクリル酸コポリマー（ＥＭＡＡ）、エチレン−アクリル酸コポリマー（ＥＡＡ）、アイオノマー樹脂、エチレン−酢酸ビニルコポリマーなどの樹脂でよい。これらの樹脂は、例えば、延伸又は無延伸フィルム、押出積層用の溶融樹脂、ホットメルト用の塗料などの形態でよい。
【００４２】
具体的には、シーラント層は、アイセロ化学株式会社製「スズロンＬ」、又はイージーオープンフィルムで形成されることができる。
【００４３】
さらに、内層は、基材層以外の樹脂層、接着剤層、アルミニウム箔などの金属箔層、無機物蒸着フィルムなどの他の層を含んでもよい。
【００４４】
本発明の第１の実施形態の袋体では、図３（ａ）に示されるように、外層の剥離きっかけ部と外層の残部との境界部に、剥離きっかけ用内層ハーフカット１２が、内層８を概ね貫通する深さで形成されている。
【００４５】
剥離きっかけ用内層ハーフカットは、実線又は破線（ミシン目）でよく、また単線又は複数列の線でもよい。
【００４６】
例えば、本発明の第１の実施形態の袋体１では、図１〜３に示されるように、剥離きっかけ用内層ハーフカット１２は、単数又は複数のラインとして形成されてよいが、剥離きっかけ用内層ハーフカット１２と内周シール部１１の位置合わせを容易にするために複数のラインとして形成されることが好ましい。
【００４７】
また、複数列の剥離きっかけ用内層ハーフカットを設けることによって、仮に内層ハーフカットの精度が悪く、剥離面まで到達していないものが生じてしまう場合でも、外層を剥離できなくなる可能性を減らすことができる。
【００４８】
本発明の第１の実施形態の袋体１では、図４に示されるように、開口６の輪郭に対応する箇所において、開口用内層ハーフカット１３が、内層８を概ね貫通する深さで形成されている。すなわち、開口用内層ハーフカット１３によって、開口６の領域を画定できる。
【００４９】
開口用内層ハーフカットは、環状で形成されることが好ましい。
【００５０】
内層には、開口用内層ハーフカットの代わりに、当初から開口がパンチングによって形成されていてもよい。その場合でも、剥離可能な外層を剥離する前は、開口が外層で覆われているので、積層フィルムの液体非透過性は維持される。
【００５１】
〔剥離可能な外層〕
剥離可能な外層は、袋体を形成したときに袋体の外側を向く層である。
【００５２】
本発明の第１の実施形態の袋体１では、図３（ａ）に示されるように、剥離可能な外層９の剥離は、周縁シール部２によって抑制されている。これに対して、図３（ｂ）に示されるように、袋体が切り裂き予定線で切り裂かれると、剥離きっかけ部４の新たな辺が形成され、それによって剥離きっかけ部４がつまみ易くなるので、外層９の剥離が可能になる。
【００５３】
さらに、図３（ｃ）に示されるように、剥離きっかけ部４をつまんで外層９を剥離し、そして図３（ｄ）及び図４（ｄ）に示されるように、袋体から外層９を剥離することができる。
【００５４】
図７及び８に示すように、外層は、積層フィルムの外層側から刻設された随意の外層ハーフカット９ａを有することができる。この外層ハーフカットによって剥離きっかけ部４をつまんで外層を剥離したときに、積層フィルムを構成する外層のうちの一部のみが剥離される。したがって、外層ハーフカットを有することにより、剥離すべき外層の面積が小さくなり、外層を更に容易に剥離することができる。
【００５５】
図７及び８に示すように、外層ハーフカットは、切り裂き予定線と接する点を一方の端とし、また周縁シール部２の外端を他方の端とすることが好ましい。
【００５６】
外層は、内層が液体非透過性であるならば、液体透過性又は液体非透過性でよい。しかしながら、袋体の液体非透過性を向上させるために、外層は液体非透過性であることが好ましい。したがって、外層は、内層に使用される基材層と同じ層を含んでよい。
【００５７】
外層を形成する基材層としては、例えば、紙、ＰＥＴフィルム、ＬＤＰＥフィルム、ＭＤＰＥフィルム、ＨＤＰＥフィルム、ＬＬＤＰＥフィルム、ＰＰフィルム、ナイロンフィルムなどを、単独で又は組み合わせて使用してよい。また、外層として使用される紙は、防水加工されていることが好ましい。
【００５８】
また、外層は、基材層以外の樹脂又は紙層、接着剤層、アルミニウム箔などの金属箔層、無機物蒸着フィルムなどの他の層を含んでもよい。さらに、外層の剥離について以下に詳述する。
【００５９】
〔外層の剥離〕
液体非透過性フィルムにおいて、外層の剥離は、作用機序に拘束されるものではないが、界面剥離又は凝集破壊によって達成されることができる。
【００６０】
例えば、内層と外層の間に、易剥離性樹脂で形成された層（以下、「易剥離性樹脂層」という）を配置することによって、外層と易剥離性樹脂層の界面から外層を剥離させるか、又は内層と易剥離性樹脂層の界面から外層及び易剥離性樹脂層を剥離させることができる。
【００６１】
本発明の第１の実施形態では、易剥離性樹脂層を使用して、内層と易剥離性樹脂層の界面から外層及び易剥離性樹脂層を剥離させると、凝集剥離ではなく、界面剥離により、剥離面に剥離痕が残らず、綺麗な剥離面となるため好ましい。
【００６２】
また、本発明の第２の実施形態では、外層と内層の間に、剥離ニスなどの剥離剤で形成された層（以下、「剥離剤層」という）を配置することによって、剥離剤層から外層を剥離させるか、又は内層から外層及び剥離剤層を剥離させることができる。
【００６３】
その場合、内層の表面にドットパターンの剥離ニスおよびベタパターンの剥離ニスによる剥離ニス層を配置し、かつ内層と外層との間に接着剤層を配置すると、内層に剥離ニスが印刷されていない部分では接着剤層により内層と外層が接着し、かつ剥離ニスが印刷されている部分では内層と外層が疑似接着する。したがって、内層の表面のベタパターンの剥離ニス層をきっかけにして、内層から外層及び剥離ニス層を剥離させることができるので好ましい。
【００６４】
一般に、剥離剤は、印刷によって、外層及び／又は内層の上に配置されることができる。図５及び６に示されるように、本発明の第２の実施形態に係る袋体１’は、外層９の剥離きっかけ部４と対応する箇所の内面側に、剥離剤のベタ印刷部１４を備え、かつ外層９の内面側の他の箇所に、剥離剤のドット印刷部１８を備える。
【００６５】
また、凝集力の弱い樹脂で形成されている層を外層と内層の間に配置して、その樹脂に応力を掛けて破壊することにより、外層と内層の剥離を達成することもできる。
【００６６】
（易剥離性樹脂及び剥離剤）
易剥離性樹脂及び剥離剤について以下に説明する。
【００６７】
（易剥離性樹脂）
易剥離性樹脂は、力が掛かる前は外層と内層の接着性を確保するが、力が掛かると、外層と易剥離性樹脂層の界面から外層を剥離させるか、又は内層と易剥離性樹脂層の界面から外層及び易剥離性樹脂層を剥離させることができる樹脂である。
【００６８】
易剥離性樹脂としては、例えば、ポリオレフィンに環状オレフィンコポリマー（ＣＯＣ）を所定の比率で混合した樹脂が好ましい。
【００６９】
ポリオレフィンとしては、例えば、ポリエチレン樹脂、ポリプ口ピレン樹脂などが挙げられ、ＬＤＰＥを使用することが好ましい。ＬＤＰＥとしては、例えば、東ソー株式会社製の商品名「ペトロセン」、旭化成ケミカルズ株式会社製の商品名「サンテック」などが挙げられる。
【００７０】
ポリオレフィンのＭＦＲ（Ｍｅｌｔ  Ｆｌｏｗ  Ｒａｔｅ）は、１９０℃の温度では、約０．０１ｇ／１０分以上、又は約１ｇ／１０分以上であってよく、また、このＭＦＲは、約６０ｇ／１０分以下、又は約５０ｇ／１０分以下であってよい。
【００７１】
ポリオレフィンの密度は、約０．８９ｇ／ｃｍ３以上、又は約０．９０ｇ／ｃｍ３以上であってよく、また、この密度は、０．９４ｇ／ｃｍ３以下、又は０．９３ｇ／ｃｍ３以下であってよい。
【００７２】
「環状オレフィンコポリマー（ＣＯＣ）」とは、α−オレフィンと環状オレフィンとを、へキサン、へプタン、オクタン、シクロへキサン、べンゼン、トルエン、キシレンなどの炭化水素系溶媒中で、いわゆるチーグラー触媒、メタロセン触媒などの触媒を調合することにより得ることができる共重合体をいう。このような共重合体としては、例えば、三井化学株式会社製の商品名「アペル」などが挙げられる。
【００７３】
ＣＯＣのＭＦＲは、１９０℃の温度では、約０．１ｇ／１０分以上、又は約１ｇ／１０分以上であってよく、また、このＭＦＲは、約４０ｇ／１０分以下、又は約３０ｇ／１０分以下であってよい。
【００７４】
易剥離性樹脂は、ＬＤＰＥとＣＯＣとの混合比率を変えることにより、剥離されることになる外層、または内層との界面剥離強度を制御し、かつ所望の値に調整することができる。
【００７５】
易剥離性樹脂中のＣＯＣの含有量は、約１質量％以上、又は約２質量％以上であってよく、また、この含有量は、約２４質量％以下、又は約２０質量％以下であってよい。ＣＯＣの含有量は、約１質量％以上であると、剥離されることになる層と易剥離性樹脂層の剥離強度が最適化されて両者の界面剥離が容易になり、一方で、約２４質量％以下であると、両者の剥離強度の制御が容易になるので好ましい。
【００７６】
易剥離性樹脂層の厚さは、剥離されることになる層との接着性及び剥離性を両立させるために、約１０μｍ以上、又は約１２μｍ以上であってよく、また、この厚さは、約３０μｍ以下、又は約２５μｍ以下であってよい。
【００７７】
（剥離剤）
剥離剤は、内層と外層の接着を阻害する樹脂または添加剤である。なお、内層と外層の間に剥離剤を配置すると、剥離剤の疑似接着性によって、内層と外層は、見掛け上接着されるが、力が掛かると直ぐに分離する。
【００７８】
したがって、本発明の第１の実施形態の袋体１’では、図５及び６に示されるように、剥離剤のベタ印刷部１４と対応する剥離きっかけ部４の周囲では内層と外層を接着して、袋体１’を切り裂き案内部５から切り裂くまでは、剥離きっかけ部４の剥離を抑制することが好ましい。
【００７９】
剥離剤としては、例えば、シリコーン樹脂、ニトロセルロース樹脂などのセルロース樹脂、ウレタン系樹脂、アミノアルキッド系樹脂、ポリアミド系樹脂及びポリエステル系樹脂から成る群から選択される少なくとも１つ；水性ニス；油性ニス；紫外線硬化型ニス；などの剥離ニスが挙げられる。これらの中でも、剥離ニスとしては、シリコーン樹脂とセルロース樹脂の混合物が好ましい。
【００８０】
剥離ニスは、上記で列挙された樹脂の少なくとも１つとワックスの混合物であることがより好ましい。混合物中のワックスの含有率は、混合物の質量を基準として、約２０質量％以上、又は約３０質量％以上であってよく、また約８５質量％以下、又は約８０質量％以下であってよい。
【００８１】
ワックスの含有率が、約２０質量％以上であると、剥離ニス層と隣接している他の層のピッキングを防ぐことができるので好ましく、一方で、約８５質量％以下であると、剥離ニス層の層間剥離を防ぐことができるので好ましい。具体的には、剥離ニスとしては、ＤＩＣグラフィックス社製「ポリコートＰ−９１」などを使用してよい。
【００８２】
＜袋体の構成要素＞
以下、袋体の構成要素である「周縁シール部」、「内周シール部」、「袋部」、「剥離きっかけ部」、「切り裂き案内部」、「開口」、「底部材」及び「内容物」について、それぞれ説明する。
【００８３】
［周縁シール部］
周縁シール部は、液体非透過性フィルムの周縁部の一部又は全部をシールして袋部を形成するシール部である。
【００８４】
本発明の第１の実施形態の袋体１では、図１に示されるように、液体非透過性フィルムの周縁部の一部のみに周縁シール部２が形成され、周縁シール部２と下記で説明する内周シール部とによって袋部３は密封される。また、本発明の第２の実施形態の袋体１’では、図５に示されるように、液体非透過性フィルムの周縁部の全部に周縁シール部２が形成され、それによって周縁シール部２のみによって袋部３は密封される。
【００８５】
周縁シール部を形成する方法としては、例えば、熱溶融法、接着剤法、機械的結束法などが挙げられるが、これらの中でも、熱溶融法が好ましく、ヒートシール法がより好ましい。
【００８６】
なお、図１及び２に示されるように、液体非透過性フィルムの周縁部に周縁シール部２が部分的にのみ形成されるときには、周縁シール部２が形成されていない周縁未シール部は、袋体１を自立させても周縁未シール部から内容物が出ない位置に配置されることが好ましい。
【００８７】
周縁シール部は、袋体の上部の少なくとも一部をシールしている上部シール部、袋体の側部の少なくとも一部をシールしている側部シール部、及び／又は底部の少なくとも一部をシールしている底部シール部を有することが好ましい。以下では、これらのそれぞれについて説明する。
【００８８】
〔上部シール部〕
上部シール部は、袋体の上部の少なくとも一部をシールするシール部である。上部シール部は、袋部に内容物を充填した後に袋体を密閉するために、形成されることが好ましい。また、袋部内の内容物のスペースを確保するために、上部シール部は、袋体を形成する単数又は複数の液体非透過性フィルムの上端縁に沿って形成されることが好ましい。
【００８９】
図４（ｂ）で示されるように、本発明の袋体の第１の実施形態では、袋体を切り裂き案内部から切り裂き予定線に沿って切り裂くと、上部シール部は取り除かれて袋部が開封され、袋部の上部から追加投入物を投入可能になる。
【００９０】
〔底部シール部〕
底部シール部は、袋体の底部の少なくとも一部をシールするシール部である。底部シール部は、袋体を形成する一対の液体非透過性フィルムの下端縁同士をシールするか；液体非透過性フィルムを折り畳み、２つ折りされた底部材を、折り畳まれたフィルムの底部に入れて、折り畳まれたフィルムの底部と底部材の少なくとも一部とをシールするか；又は２つ折りされた底部材を一対の液体非透過性フィルムで挟み込んでシールすることにより、形成されることが好ましい。
【００９１】
袋体の袋部を外側に膨らませ、袋体に自立性を付与し、かつ／又は袋部内の内容物のスペースを確保するために、底部シール部を船底形にすることが好ましい。例えば、液体非透過性フィルムを折り畳み、２つ折りされた底部材を折り畳まれたフィルムの底部に入れて、折り畳まれたフィルムの底部と底部材の少なくとも一部とをシールするか；又は２つ折りされた底部材を一対の液体非透過性フィルムで挟み込んでシールすることにより、船底形の底部シール部を得ることができる。
【００９２】
〔側部シール部〕
側部シール部は、袋体の側部の少なくとも一部をシールするシール部である。袋部内の内容物のスペースを確保するために、側部シール部は、袋体を形成する単数又は複数の液体非透過性フィルムの側端縁に沿って形成されることが好ましい。
【００９３】
側部シール部の長さは、上部シール部又は底部シール部の長さの約１．１倍以上、約１．３倍以上、約１．５倍以上又は約２倍以上でよく、また側部シール部の長さは、上部シール部又は底部シール部の長さの約１０倍以下、約９倍以下又は約８倍以下でよい。
【００９４】
一般に、単数の液体非透過性フィルムを折り畳んで袋体を形成するときには、少なくとも１つの側部シール部が形成される。一方で、一対の液体非透過性フィルムで袋体を形成するときには、少なくとも２つの側部シール部が形成される。
【００９５】
一般に、複数の液体非透過性フィルムで袋体を形成すると、袋体の両側部がシールされるので、側部シール部として、第一側部シール部及び第二側部シールが形成される。
【００９６】
図１及び２に示されるように、本発明の袋体の第１の実施形態では、第一側部シール部は、底部シール部の一方の端縁から上方に延び、かつ一対の液体非透過性フィルムの側部をシールするが、上部シール部まで達しなくてよい。
【００９７】
一方で、第二側部シール部は、底部シール部の他方の端縁から上方に延び、一対の液体非透過性フィルムの側部をシールし、かつ上部シール部まで達してよい。
【００９８】
その場合、第一側部シール部の２つの端部の中でも、底部シール部と接していない端部（すなわち、上部シール部まで達していない上側端部）は、内周シール部４と接することができる。したがって、第一側部シール部の上側端部は、内周シール部４の一方の端部と対応することができる。
【００９９】
〔周縁未シール部〕
周縁未シール部は、液体非透過性フィルムの周縁部においてシールされていない部分を意味する。液体非透過性フィルムの周縁部の一部のみに周縁シール部を形成したときに、周縁未シール部が形成される。
【０１００】
具体的には、周縁未シール部、周縁シール部及び内周シール部は、剥離きっかけ部を囲むように配置されることができる。その場合、袋体を切り裂き案内部から裂いて周縁シール部の少なくとも一部（特に上部シール部）を取り除くと、周縁未シール部から剥離きっかけ部をつまみ易くなるので好ましい。
【０１０１】
図１及び２に示されるように、本発明の袋体の第１の実施形態では、剥離きっかけ部４が三角形状であるときに、三角形の三辺に、周縁未シール部、周縁シール部２の一部（つまり、上部シール部）、及び内周シール部１１をそれぞれ配置することができる。この場合、図３（ｂ）に示されるように、本発明の袋体の第１の実施形態では、上部シール部が取り除かれると、剥離きっかけ部４の二辺がシールされていない状態になるので、剥離きっかけ部４がつまみ易くなる。なお、図３（ａ）に示されるように、本発明の袋体の第１の実施形態では、上部シール部を取り除く前にも、周縁未シール部から剥離きっかけ部４をつまむことができるが、図３（ｃ）に示されるように、上部シール部を取り除くことによって、剥離きっかけ部４の新たな辺を形成して、剥離きっかけ部４を比較的つまみ易くすることができる。
【０１０２】
［内周シール部］
内周シール部は、液体非透過性フィルムの周縁部の内側の一部をシールしているシール部であって、液体非透過性フィルムの周縁部の一部のみに周縁シール部２が形成されるときに、周縁シール部と一体となって袋部を密封しているシール部である。
【０１０３】
内周シール部を形成するシール法は、周縁シール部を形成するシール法として上記で説明されたものでよい。
【０１０４】
具体的には例えば、剥離きっかけ部が袋体の外周付近に形成されるときに、外層の剥離きっかけ部４と外層の他の部分との境界、及び／又は外層の剥離きっかけ部４と袋部３との境界として、内周シール部を形成することが好ましい。
【０１０５】
内周シール部の位置は、袋体、剥離きっかけ部、又は袋部の形状に応じて任意に決定されてよいが、例えば内周シール部は、袋体の上辺、側辺又は底辺と交わる方向で、好ましくは、これらの辺のいずれかに対して斜めになる方向で形成されることができる。
【０１０６】
本発明の第１の実施形態では、図１及び２に示されるように、内周シール部１１は、一方の側部シール部の上端から上部シール部に向かって斜めに形成されており、かつ剥離きっかけ部４と袋部３の境界となることができる。
【０１０７】
［袋部］
袋部は、液体非透過性フィルムの周縁部の一部又は全部を周縁シール部でシールして形成され、内容物を収納可能な部分である。内容物は、例えば、固体、液体、気体等であり、特に固体の食品である。
【０１０８】
袋部は、袋体を切り裂き案内部から切り裂いて周縁シール部の少なくとも一部を除去することによって、開封することができる。
【０１０９】
通常は、袋部に内容物を収納した状態で、袋体の周縁部を周縁シール部でシールして、袋部を密封する。この場合、袋体から周縁シール部（例えば、上部シール部）の少なくとも一部を除去して袋部を開封した後で、袋体の開封された部分から固体、液体、気体などの追加投入物を袋体に入れ、内容物と追加投入物を接触させることができる。
【０１１０】
なお、袋部に内容物を収納していない状態で袋体の周縁部を周縁シール部でシールして袋部を密封することもできる。この場合、袋体から周縁シール部（例えば、上部シール部）の少なくとも一部を除去して袋部を開封した後で、袋体の開封された部分から固体、液体、気体などを袋体に入れてもよい。すなわち、この場合、袋体を、容器又はザルの代用品として使用することができる。
【０１１１】
本発明の第１の実施形態では、図１及び２に示されるように、袋体３は、周縁シール部２及び内周シール部１１によって密封されている。この場合、袋体１を切り裂き案内部５から切り裂く際に、周縁シール部２の一部（例えば、上部シール部）及び内周シール部１１の一部を除去して袋部３を開封した後で、水等の追加投入物を投入することができる。
【０１１２】
また、本発明の第１の実施形態では、図４（ａ）に示されるように、袋部には内容物１５が収納されている場合、図４（ｂ）に示されるように、切り裂き案内部５から袋部を切り裂いて上部シール部を除去すると、袋部３の上部が開封されるので、ここから袋部３に水等の追加投入物を投入して、内容物１５を水等の追加投入物で処理することが可能になる。
【０１１３】
この実施形態では、図４（ｃ）及び（ｄ）に示されるように、剥離可能な外層９が剥離されると、袋部に開口６が形成されるので、袋部から水を抜くことが可能になる。その場合、袋部は、水切り又は湯切りのために使用されることができる。
【０１１４】
本発明の第２の実施形態では、図５に示されるように、袋体３は、周縁シール部２に囲まれることによって密封されている。また、袋体１’を切り裂き案内部５から切り裂いて、周縁シール部２の一部（例えば、上部シール部）を袋体１’から除去すると、袋部３が開封されるので、そこから水などの追加投入物を投入することができる。
【０１１５】
袋部は、下記方法Ｉ〜Ｖのいずれかにより形成されることが好ましい：
前記内層同士が向かい合い、かつ折込部がＭ字状になるように、前記積層フィルムを折り畳んで、折り畳まれたフィルムの上部及び両側部を周縁シール部でシールする方法（Ｉ）；
前記内層同士が向かい合い、かつ折込部が一方の側部になるように、前記積層フィルムを折り畳んで、折り畳まれたフィルムの他方の側部、上部及び底部を周縁シール部でシールする方法（ＩＩ）；
前記内層同士が向かい合い、かつ折込部が一方の側部となるように、前記積層フィルムを折り畳み、２つ折りされた底部材を折り畳まれたフィルムの底部に入れて、前記折り畳まれたフィルムの底部と前記底部材の少なくとも一部とを周縁シール部でシールし、かつ前記折り畳まれたフィルムの他方の側部及び上部を周縁シール部でシールする方法（ＩＩＩ）；
前記積層フィルムと他のフィルムを重ねて上部、両側部及び底部を周縁シール部でシールする方法（ＩＶ）；又は
２つ折りされた底部材を前記積層フィルムと他のフィルムで挟み込んで上部、両側部及び底部を周縁シール部でシールする方法（Ｖ）。
【０１１６】
また、袋体に自立性を付与するために、袋部の底部は、船底形であることが好ましい。例えば、上記方法（Ｉ）、（ＩＩＩ）又は（Ｖ）により袋部を形成すれば、袋部の底部を船底形にすることができる。
【０１１７】
［剥離きっかけ部］
剥離きっかけ部は、剥離可能な外層を剥離するためのきっかけとなる部分である。剥離きっかけ部は、剥離可能な外層の一部として、内層の一部として、又は内層及び剥離可能な外層を含む積層フィルムの一部として形成されることができる。
【０１１８】
剥離きっかけ部の一部又は全部を容易につまむことができないように配置されている限り、袋体における剥離きっかけ部の位置は、任意に決定されてよい。例えば、剥離きっかけ部は、液体非透過性フィルムの周縁部から外方へ突出しないように形成されることが好ましい。
【０１１９】
一方で、袋体を切り裂き案内部から切り裂くと、剥離きっかけ部の新たな辺が形成されて、剥離きっかけ部がつまみ易くなる。なお、剥離きっかけ部の新たな辺は、直線であっても曲線であってもよい。例えば、袋体を切り裂き案内部から切り裂くまでは、剥離きっかけ部は、見掛け上、認識され難いが、袋体を切り裂き案内部から切り裂くと直ぐに、剥離きっかけ部を現出するようにすることができる。
【０１２０】
このように、袋体の切り裂きの前後で剥離きっかけ部のつまみ易さを変えることによって、袋体の輸送時に剥離きっかけ部の損傷又は脱離を防ぐことだけでなく、切り裂き案内部から切り裂きの前に外層の剥離を行うという使用者の誤りを防ぐことができる。
【０１２１】
本発明の第１の実施形態では、図１及び２に示されるように、剥離きっかけ部４は、袋体１の側部の一方に近接して形成されることができる。その場合、袋体１における剥離きっかけ部４の領域は、周縁シール部２、内周シール部１１、周縁未シール部、切り裂き案内部５、及び剥離きっかけ用内層ハーフカット１２に応じて任意に決定することができる。
【０１２２】
また、図３（ａ）及び（ｂ）に示されるように、切り裂き予定線に沿って袋体１を切り裂いて、周縁シール部２の上部シール部を除去すると、剥離きっかけ部４の新たな辺は、内層８及び剥離可能な外層９を含む積層フィルム７の一部として形成され、それによって、剥離きっかけ部４の少なくとも一部がつまみ易くなる。さらに、図３（ｃ）に示されるように、剥離きっかけ部４をつまんで引くと、内層ハーフカット１２を境に、剥離可能な外層９を剥離させることができる。
【０１２３】
本発明の第２の実施形態では、図５に示されるように、袋体１’の剥離きっかけ部４は、周縁シール部２と近接せず、かつ袋部３と一体化するように、形成されることができる。言い換えれば、剥離きっかけ部４は、袋体１’から外方へ突出せず、かつ袋体３に埋設されることができる。
【０１２４】
また、図６（ａ）及び（ｂ）から、袋体１’における剥離きっかけ部４の領域が、周縁シール部２、袋体３、切り裂き案内部５及び剥離剤のベタ印刷部１４に応じて決定されることは明らかである。その場合、切り裂き予定線に沿って袋体１’を切り裂いて、周縁シール部２の上部シール部を取り外すと、剥離きっかけ部４の新たな辺は、剥離可能な外層９の一部として現出する。
【０１２５】
したがって、積層フィルム７における剥離きっかけ部４と対応する位置では、剥離剤のベタ印刷部１４によって内層８と外層９の接着が阻害されているので、使用者は、内層８と外層９の隙間に指などを入れることによって、剥離きっかけ部４を容易につまむことができる。
【０１２６】
本発明の第３の実施形態では、図７及び８に示すように、液体非透過性のフィルムのうちの、剥離きっかけ部に相対する部分は、少なくとも部分的に除去されて、剥離きっかけ部の内側面が少なくとも部分的に露出している。ここで、剥離きっかけ部の内側面とは、剥離きっかけ部によって剥離される外層とは反対側の面を意味する。
【０１２７】
これによれば、図９（ｂ）に示すように、剥離きっかけ部４と剥離きっかけ部に相対する部分との間に互いに重なっていない領域が存在することにより、袋体を上記切り裂き案内部から切り裂いた後にこの重なっていない領域をつまむことができるため、剥離きっかけ部が更につまみ易くなる。
【０１２８】
本発明の第３の実施形態において、剥離きっかけ部に相対する部分の形状は、剥離きっかけ部の形状から任意の形状を除去した形状であってよい。例えば、剥離きっかけ部に相対する部分の形状は、図７に示すように三角形である剥離きっかけ部の形状から三角形を除去した台形であってよい。
【０１２９】
［切り裂き案内部］
切り裂き案内部は、周縁シール部の少なくとも一部を除去して袋部を開封するようにして袋体を切り裂くことを可能にする部分である。切り裂き案内部は、袋体の切り裂きを開始するきっかけとして、又は周縁シール部と袋部の境界を決定する案内部として形成されてよい。
【０１３０】
袋体を切り裂くことにより周縁シール部の少なくとも一部を除去して袋部を開封できる限り、袋体における切り裂き案内部の位置及び形態は、任意に決定されることができる。いずれにしても、袋体を切り裂き案内部から裂いた後に剥離きっかけ部の新たな辺を形成し、剥離きっかけ部をつまみ易くするために、切り裂き予定線は、剥離きっかけ部と交差することが好ましい。
【０１３１】
例えば、図２に示されるように、切り裂き案内部５は、袋体を裂いた後に袋部の上部が開くように、一方の側部シール部の上方に形成されることが好ましい。その場合、切り裂き予定線は、袋体の幅方向において切り裂き案内部５から他方の側部シール部へと袋体を横断し、かつ剥離きっかけ部４と交差すると考えられる。
【０１３２】
例えば、図３（ａ）及び（ｂ）と図４（ａ）及び（ｂ）に示されるように、切り裂き案内部から切り裂き予定線に沿って袋体を切り裂いて上部シール部を取り除くと、剥離きっかけ部４の新たな辺が形成されて剥離きっかけ部４の一部がつまみ易くなり、かつ袋部の上部が開く。
【０１３３】
切り裂き案内部として、例えば、ノッチ、ライン、孔などを単独で又は組み合わせて形成してよい。
【０１３４】
袋体にノッチがあると、使用者は、周縁シール部の少なくとも一部と袋部を分離できるように、ノッチを起点として袋体を任意の切り裂き線に沿って切り裂くことができる。
【０１３５】
また、袋体を形成する液体非透過性フィルムが、一軸延伸フィルムなどの延伸フィルムを含むときには、ノッチを起点として延伸フィルムの延伸方向に沿って袋体を切り裂くことができる位置に、ノッチを配置することが好ましい。
【０１３６】
切り裂き案内部としてのノッチの形態は、限定されるものではないが、例えば、Ｖ型、Ｉ型などでよい。
【０１３７】
切り裂き案内部としてのライン及び／又は孔は、周縁シール部の少なくとも一部と袋部を分離可能な切り裂き予定線に沿って形成されることが好ましい。また、ライン及び／又は孔は、ノッチとともに形成されることも好ましい。
【０１３８】
切り裂き案内部としてのラインは、実線又は点線でよく、かつ単数又は複数でよい。また、ラインは、例えばＣＯ２レーザー照射などによって、内層及び／又は外層にハーフカットラインとして刻設されることが好ましい。
【０１３９】
切り裂き案内部としての孔は、単数又は複数でよい。例えば、傷ロールなどで切り裂き予定線に沿って多数の孔を形成することが好ましい。その場合、１つの孔の孔径は、約０．１ｍｍ以上又は約０．２ｍｍ以上であることが好ましく、また、この孔径は、約０．４ｍｍ以下又は約０．３ｍｍ以下であることが好ましい。
【０１４０】
［開口］
本発明の袋体から剥離可能な外層を剥離して取り除くと、残りの内層に開口が露出する。
【０１４１】
開口は、例えば、水、湯などの液体である追加投入物を排出させることが好ましい。このような開口は、袋体を水切り可能又は湯切り可能にする。また、このような開口は、液体である追加投入物を通過させるが、固体である内容物を通過させないような寸法を有することが好ましい。
【０１４２】
外層の剥離によって内層の開口を露出させるためには、パンチングによって内層に予め開口を形成しておくこと、開口の輪郭に対応する箇所に内層を概ね貫通するハーフカットを形成しておくこと等が好ましい。
【０１４３】
開口の形状としては、例えば、円形に加えて、楕円形、角丸長方形、卵形、三角形、四角形、五角形以上の多角形などを自由に選択できる。開口の数は、単数又は複数でよいが、通常は、内容物を流出させず、かつ水等の液体である追加投入物を速く排出するために、複数であることが好ましい。
【０１４４】
内層における開口の位置は、限定されるものではないが、内容物の寸法及び配置、袋部に注がれる液体の量などに応じて決定されることができる。具体的には例えば、袋体を立てたときに、袋部の液面の高さ以下の位置に開口を形成すると、開口を露出させたときに直ぐに、開口からの液体である追加投入物の排出が始まる。また、袋部の液面の高さを超える位置に開口を形成するときには、開口を露出させ、更に袋体をデカンテーションすること等により液体である追加投入物を排出することができる。
【０１４５】
本発明の袋体の第１の実施形態では、図４（ｃ）及び（ｄ）に示されるように、外層９が剥離するときに、開口用内層ハーフカット１３に囲まれた内層８の部分が、外層９に付着した状態で随伴除去されるので、開口６が形成されることができる。また、開口６は、内容物１５を通過させないが、水を通過させる寸法を有するようにして、袋体に液体排出機構を与えることができる。
【０１４６】
開口用内層ハーフカット１３に囲まれた内層８の部分は、外層９に付着して抜き取られるときに引っ掛かりを発生させないように、角のない円形、楕円形、角丸長方形、卵形などであることが好ましい。
【０１４７】
［底部材］
底部材は、袋体の底部を形成する付加的な部材である。一般に、底部材を使用せずに、単数又は複数の液体非透過性フィルムで袋体を形成すると、袋体は、平袋になる。一方で、液体非透過性フィルムと底部材を併用して袋体を形成することによって、袋体に自立性を付与して、スタンディングパウチを得ることができる。また、袋体が底部材を備えると、袋体の収容量が増加するので好ましい。
【０１４８】
また、折り畳まれた底部材を使用して袋体を形成すると、袋体に内容物を収納する前には、袋体の嵩張りを防止して、袋体の陳列適性を向上させることができるので好ましい。本発明の第１の実施形態では、２つ折りされた底部材と液体非透過性フィルムを用いて袋体を形成することによって、袋部の底部を船底形にする。
【０１４９】
また、図１及び２に示されるように、２つ折りされた底部材の両面を貫通する切欠き部１６があると、袋体１の底部シール部を形成する際に、一対の液体非透過性フィルム同士又は折り畳まれた液体非透過性フィルムの両面を直接密着させることができるので好ましい。
【０１５０】
さらに、底部材と液体非透過性フィルムとをヒートシールする際に、凹凸を有するヒートシールバーを使用すると、図１及び２に示されるように、シールバーの凹部に応じて未シール部１７を残し、底部シール時に生じる空気溜まりを意図的に未シール部１７に誘導して、底部シール部の外観を向上させることができるので好ましい。
【０１５１】
［内容物］
袋体に収納される内容物は、固体、液体、気体、ゲルなどでよい。内容物としては、例えば、干しシイタケ、干しワカメなどの乾燥食品；飲料、やきそば、パスタ、野菜、卵の水煮などの他の食料品；化学薬品、化粧品、洗剤、芳香剤、医薬品などの物品；空気、酸素などのガス状物質；などが挙げられる。
【０１５２】
本発明の第１の実施形態では、袋体は、袋部を密封する機能、注水機能及び排水機能を備えるので、内容物は、液体等の追加投入物を吸収するものであることが好ましい。その場合、追加投入物は特に、水等の液体、特に冷水又は湯でよい。また、液体を吸収できる内容物は、上記乾燥食品であることができる。したがって、内容物は、冷水、湯等の追加投入物による浸漬処理に供されることが好ましい。
【０１５３】
図４（ｂ）に示されるように、本発明の第１の実施形態では、水を吸収できる内容物１５が袋部に収納されており、袋体を切り裂き予定線に沿って切り裂くことによって袋部が開封され、水を袋部に注ぐことによって、内容物１５に水を吸収させて内容物１５の浸漬処理を行うことができる。その後、内層８に形成された開口６から水を抜くことによって、水を吸収した内容物１５のみを袋部に残し、そして上側の開封部から水を吸収した内容物１５を容易に取り出すことができる（図４（ｃ）及び（ｄ））。このようにして、内容物１５に水による浸漬処理を施すことができる。
【０１５４】
＜袋体の製造方法＞
本発明の袋体は、例えば、以下の工程を含む方法により製造されることができる：
（ａ１）内面基材層にシーラントを押出しラミネート又はドライラミネートし、シーラント層を形成して、積層体Ｉａを得る工程；
（ａ２）外面基材層を提供し、積層体Ｉａの内面基材層側と外面基材層の間に易剥離樹脂を押出しラミネートして、積層体ＩＩａを得る工程；
（ａ３）ダイカットローラーなどのカッターを用いて、積層体ＩＩａのシーラント層側から刻設して、剥離きっかけ用内層ハーフカット及び開口用内層ハーフカットを形成して、加工された積層体ＩＩａを得る工程；
（ａ４）加工された積層体ＩＩａと概ね同じ外形を有する液体非透過性フィルムと、２つ折りされた底部材を提供する工程；
（ａ５）加工された積層体ＩＩａのシーラント層側が袋体の内面となるように、２つ折りされた底部材を、加工された積層体ＩＩａと液体非透過性フィルムで挟んで、底部シール、両側部シール、ならびに内周シール部を形成して、袋体中間体Ａを得る工程；及び
（ａ６）袋体中間体Ａに切り裂き案内部を形成する工程。
【０１５５】
また、本発明の袋体は、例えば、以下の工程を含む方法により製造されることもできる：
（ｂ１）内面基材層に剥離ニス層をベタパターン及びドットパターンで印刷する工程；
（ｂ２）内面基材層の剥離ニス層を印刷していない側にシーラントを押出しラミネート又はドライラミネートし、シーラント層を形成して、積層体Ｉｂを得る工程；
（ｂ３）外面基材層を提供し、ドライラミネート接着剤を介して外面基材層と積層体Ｉｂの剥離ニスを印刷している側とを接着して、積層体ＩＩｂを得る工程；
（ｂ４）ダイカットローラーなどのカッターを用いて、積層体ＩＩｂのシーラント層側から刻設して、開口用内層ハーフカットを形成して、加工された積層体ＩＩｂを得る工程；
（ｂ５）加工された積層体ＩＩｂと概ね同じ外形を有する液体非透過性フィルムと、２つ折りされた底部材を提供する工程；
（ｂ６）加工された積層体ＩＩｂのシーラント層側が袋体の内面となるように、２つ折りされた底部材を、加工された積層体ＩＩｂと液体非透過性フィルムで挟んで、底部シールと両側部シールを形成して、袋体中間体Ｂを得る工程；及び
（ｂ７）袋体中間体Ｂに切り裂き案内部を形成する工程。
【０１５６】
工程（ａ３）又は（ｂ４）で開口用内層ハーフカットを形成する代わりに、又は開口用内層ハーフカットの形成に加えて、工程（ａ１）又は（ｂ２）において積層体Ｉａ又はＩｂをパンチングして、積層体Ｉａ又はＩｂに開口を形成してもよい。
【０１５７】
工程（ａ６）前、工程（ａ６）中若しくは工程（ａ６）後に、又は工程（ｂ７）前、工程（ｂ７）中若しくは工程（ｂ７）後に、所望により、ＣＯ２レーザー照射器などを用いて、袋体中間体Ａ又はＢの外層側から切り裂き予定線となるハーフカットラインを形成してもよい。
【０１５８】
工程（ａ５）又は（ｂ６）は、ヒートシールにより行なわれることができる。
【０１５９】
また、工程（ａ５）において、被シール体の底部及び両側部をシールすることが好ましい。その際、内周シール部を形成するようにシールを行なうことも好ましい。また、一方の側部は、部分的にシールされて、周縁未シール部を有することが好ましい。周縁未シール部を有する側部において、側部シール部の上端から概ね斜めの方向に向かって内周シール部が形成されることも好ましい。
【０１６０】
また、工程（ａ６）又は工程（ｂ７）後に、袋体中間体Ａ又はＢに内容物を収納してもよく、かつ／又は袋体中間体Ａ又はＢの上部をシールしてもよい。
【０１６１】
ここで、本発明の第１の実施形態に係る袋体の製造方法、及び本発明の第２の実施形態に係る袋体の製造方法を以下に説明する。
【０１６２】
［本発明の第１の実施形態に係る袋体の製造方法］
この実施形態では、図１に示すような袋体を製造する。
【０１６３】
〔液体非透過性積層フィルムの作製〕
以下に示される材料を用意する：
Ｏ−Ｎｙフィルム（厚さ：２５μｍ）：三菱樹脂社製「スーパーニールＥ」
ＰＥＴフィルム（厚さ：８μｍ）：ＫＯＬＯＮ社製「ＣＢ９０１」
ＰＥＴフィルム（厚さ：１２μｍ）：東洋紡社製「Ｅ５１００」
ＨＤＰＥフィルム（厚さ：３５μｍ）：アイセロ化学社製「Ｈ−５００Ｓ」
ＬＬＤＰＥフィルム（厚さ：３０μｍ）：アイセロ化学社製「スズロンＬ−１０５」
ドライラミネート接着剤：東洋モートン社製「ＴＭ２６５Ｍ＋ＣＡＴ  ＲＴ３７」
易剥離樹脂：９５質量％のＬＤＰＥ（東ソー社製「ペトロセン２２６」）と５質量％のＣＯＣ（三井化学社製「アペル６０１３Ｂ」）の混合物
【０１６４】
ドライラミネーターを使用し、ドライラミネート接着剤の塗布量を３ｇ／ｍ２に設定し、Ｏ−ＮｙフィルムとＰＥＴフィルム「ＣＢ９０１」を、ドライラミネート接着剤を介して接着して、部材ａを得る。
【０１６５】
ドライラミネーターを使用し、ドライラミネート接着剤の塗布量を３ｇ／ｍ２に設定し、部材ａのＰＥＴフィルム「ＣＢ９０１」側にＨＤＰＥフィルムを、ドライラミネート接着剤を介して接着して、部材ｂを得る。
【０１６６】
ドライラミネーターを使用し、ドライラミネート接着剤の塗布量を３ｇ／ｍ２に設定し、ＰＥＴフィルム「Ｅ５１００」とＬＬＤＰＥフィルムを、ドライラミネート接着剤を介して接着して、部材ｃを得る。
【０１６７】
押出しラミネーターを使用し、約３２０℃〜約３４５℃の温度で、部材ｂのＨＤＰＥフィルム側と部材ｃのＰＥＴフィルム「Ｅ５１００」側の間に易剥離樹脂を押出し、サンドラミネートして、積層フィルムｄを得る。
【０１６８】
積層フィルムｄは、「Ｏ−Ｎｙフィルム（２５）／／ＰＥＴフィルム（８）／／ＨＤＰＥフィルム（３５）／易剥離樹脂層（２０）／ＰＥＴフィルム（１２）／／ＬＬＤＰＥフィルム（３０）」という層構成を有する。ここで、括弧内の数値は厚さ（μｍ）を表し、かつ「／／」はドライラミネート接着剤を表す。
【０１６９】
また、積層フィルムｄにおいて、「ＰＥＴフィルム（１２）／／ＬＬＤＰＥフィルム（３０）」が、内層に対応し、かつ「Ｏ−Ｎｙフィルム（２５）／／ＰＥＴフィルム（８）／／ＨＤＰＥフィルム（３５）」が、剥離可能な外層に対応する。
【０１７０】
〔袋体の製造方法〕
積層フィルムｄ、積層フィルムｄとは異なる液体非透過性フィルムｅ、及び底部材ｆを用意する。
【０１７１】
フレキシブルダイで積層フィルムｄの内層に剥離きっかけ用内層ハーフカット及び開口用内層ハーフカットを刻設する。
【０１７２】
ＣＯ２レーザー照射器で積層フィルムｄ及び液体非透過性フィルムｅに切り裂き案内部及び切り裂き予定線を形成する。
【０１７３】
底部材ｆをパンチングして切欠き部を形成する。
【０１７４】
ヒートシーラーを用いて、１６０℃の温度、０．３ＭＰａの圧力及び１．５秒のシール時間という条件下で、積層フィルムｄと液体非透過性フィルムｅで底部材ｆを挟んでシールして、底部シール部を有する袋体中間体ｇを得る。
【０１７５】
ヒートシーラーを用いて、１６０℃の温度、０．３ＭＰａの圧力及び１．５秒のシール時間という条件下で、袋体中間体ｇの両側部をシールし、同時に側部シール部をトリミングして、袋体中間体ｈを得る。
【０１７６】
干しワカメなどの内容物を袋体中間体ｈに充填する。
【０１７７】
ヒートシーラーを用いて、１６０℃の温度、０．３ＭＰａの圧力及び１．５秒のシール時間という条件下で、袋体中間体ｈの上部をシールして、図１に示すような袋体を得る。
【０１７８】
［本発明の第２の実施形態に係る袋体の製造方法］
【０１７９】
この実施形態では、図５に示すような袋体を製造する。
〔液体非透過性積層フィルムの作製〕
以下に示される材料を用意する：
Ｏ−Ｎｙフィルム（厚さ：１５μｍ）：三菱樹脂社製「スーパーニールＥ」
Ｏ−Ｎｙフィルム（厚さ：１５μｍ）：三菱樹脂社製「サントニールＳＮＲ−Ｗ」
Ｏ−Ｎｙフィルム（厚さ：１５μｍ）：三菱樹脂社製「サントニールＳＮＲ」
ＰＥＴフィルム（厚さ：１２μｍ）：東洋紡社製「Ｅ５２００」
イージーピールフィルム（厚さ：３０μｍ）：ＤＩＣ社製「ＤＩＦＡＲＥＮ  １９００Ｔ」
ドライラミネート接着剤：三井化学社製「Ａ−６２０＋Ａ−６５」
剥離剤：ＤＩＣグラフィックス社製「ポリコートＰ−９１（固形分：１０％）」「シリコーン系／セルロース系」
【０１８０】
ドライラミネーターを使用し、ドライラミネート接着剤の塗布量を３ｇ／ｍ２に設定し、Ｏ−Ｎｙフィルム「スーパーニールＥ」とＰＥＴフィルムを、ドライラミネート接着剤を介して接着して、部材ｉを得る。
【０１８１】
ドライラミネーターを使用し、ドライラミネート接着剤の塗布量を３ｇ／ｍ２に設定し、部材ｉのＰＥＴフィルム側にＯ−Ｎｙフィルム「サントニールＳＮＲ−Ｗ」を、ドライラミネート接着剤を介して接着して、部材ｊを得る。
【０１８２】
Ｏ−Ｎｙフィルム「サントニールＳＮＲ」に、剥離剤をベタパターンおよびドットパターンで印刷して、剥離剤印刷部を形成する。
【０１８３】
ドライラミネーターを使用し、ドライラミネート接着剤の塗布量を３ｇ／ｍ２に設定し、部材ｊのＯ−Ｎｙフィルム「サントニールＳＮＲ−Ｗ」側と、Ｏ−Ｎｙフィルム「サントニールＳＮＲ」の剥離剤印刷部側とを、ドライラミネート接着剤を介して接着して、部材ｋを得る。
【０１８４】
ドライラミネーターを使用し、ドライラミネート接着剤の塗布量を３ｇ／ｍ２に設定し、部材ｋのＯ−Ｎｙフィルム「サントニールＳＮＲ」側にイージーピールフィルムを、ドライラミネート接着剤を介して接着して、積層フィルムｌを得る。
【０１８５】
積層フィルムｌは、「Ｏ−Ｎｙ（１５）／／ＰＥＴ（１２）／／Ｏ−Ｎｙ（１５）／／剥離剤印刷部（−）／Ｏ−Ｎｙ（１５）／／イージーピールフィルム（３０）」という層構成を有する。ここで、括弧内の数値は厚さ（μｍ）を表し、かつ「／／」はドライラミネート接着剤を表す。
【０１８６】
また、積層フィルムｌにおいて、「Ｏ−Ｎｙ（１５）／／イージーピールフィルム（３０）」が、内層に対応し、かつ「Ｏ−Ｎｙ（１５）／／ＰＥＴ（１２）／／Ｏ−Ｎｙ（１５）」が、剥離可能な外層に対応する。
【０１８７】
〔袋体の製造方法〕
積層フィルムｌ、積層フィルムｌとは異なる液体非透過性フィルムｍ、及び底部材ｎを用意する。
【０１８８】
フレキシブルダイを用いて、積層フィルムｌのイージーピールフィルム面から剥離剤印刷部に達する深さで、複数の開口用環状ハーフカットラインを刻設する。
【０１８９】
ＣＯ２レーザー照射器で積層フィルムｌ及び液体非透過性フィルムｍに切り裂き案内部及び切り裂き予定線を形成する。
【０１９０】
底部材ｎをパンチングして切欠き部を形成する。
【０１９１】
ヒートシーラーを用いて、１６０℃の温度、０．３ＭＰａの圧力及び１．５秒のシール時間という条件下で、積層フィルムｌと液体非透過性フィルムｍで底部材ｎを挟んでシールして、底部シール部を有する袋体中間体ｏを得る。
【０１９２】
ヒートシーラーを用いて、１６０℃の温度、０．３ＭＰａの圧力及び１．５秒のシール時間という条件下で、袋体中間体ｏの両側部をシールし、同時に側部シール部をトリミングして、袋体中間体ｐを得る。
【０１９３】
干しワカメなどの内容物を袋体中間体ｐに充填する。
【０１９４】
ヒートシーラーを用いて、１６０℃の温度、０．３ＭＰａの圧力及び１．５秒のシール時間という条件下で、袋体中間体ｐの上部をシールして、図５に示すような袋体を得る。
【０１９５】
［本発明の第３の実施形態に係る袋体の製造方法］
この実施形態では、図７に示すような袋体を製造する。
【０１９６】
〔液体非透過性積層フィルムの作製〕
以下に示される材料を用意する：
Ｏ−Ｎｙフィルム（厚さ：２５μｍ）：三菱樹脂社製「スーパーニールＥ」
ＰＥＴフィルム（厚さ：８μｍ）：ＫＯＬＯＮ社製「ＣＢ９０１」
ＰＥＴフィルム（厚さ：１２μｍ）：東洋紡社製「Ｅ５１００」
ＨＤＰＥフィルム（厚さ：３５μｍ）：アイセロ化学社製「Ｈ−５００Ｓ」
ＬＬＤＰＥフィルム（厚さ：３０μｍ）：アイセロ化学社製「スズロンＬ−１０５」
ドライラミネート接着剤：東洋モートン社製「ＴＭ２６５Ｍ＋ＣＡＴ  ＲＴ３７」
易剥離樹脂：９５質量％のＬＤＰＥ（東ソー社製「ペトロセン２２６」）と５質量％のＣＯＣ（三井化学社製「アペル６０１３Ｂ」）の混合物
【０１９７】
ドライラミネーターを使用し、ドライラミネート接着剤の塗布量を３ｇ／ｍ２に設定し、Ｏ−ＮｙフィルムとＰＥＴフィルム「ＣＢ９０１」を、ドライラミネート接着剤を介して接着して、部材ｑを得る。
【０１９８】
ドライラミネーターを使用し、ドライラミネート接着剤の塗布量を３ｇ／ｍ２に設定し、部材ｑのＰＥＴフィルム「ＣＢ９０１」側にＨＤＰＥフィルムを、ドライラミネート接着剤を介して接着して、部材ｒを得る。
【０１９９】
ドライラミネーターを使用し、ドライラミネート接着剤の塗布量を３ｇ／ｍ２に設定し、ＰＥＴフィルム「Ｅ５１００」とＬＬＤＰＥフィルムを、ドライラミネート接着剤を介して接着して、部材ｓを得る。
【０２００】
押出しラミネーターを使用し、約３２０℃〜約３４５℃の温度で、部材ｒのＨＤＰＥフィルム側と部材ｓのＰＥＴフィルム「Ｅ５１００」側の間に易剥離樹脂を押出し、サンドラミネートして、積層フィルムｔを得る。
【０２０１】
積層フィルムｔは、「Ｏ−Ｎｙフィルム（２５）／／ＰＥＴフィルム（８）／／ＨＤＰＥフィルム（３５）／易剥離樹脂層（２０）／ＰＥＴフィルム（１２）／／ＬＬＤＰＥフィルム（３０）」という層構成を有する。ここで、括弧内の数値は厚さ（μｍ）を表し、かつ「／／」はドライラミネート接着剤を表す。
【０２０２】
また、積層フィルムｔにおいて、「ＰＥＴフィルム（１２）／／ＬＬＤＰＥフィルム（３０）」が、内層に対応し、かつ「Ｏ−Ｎｙフィルム（２５）／／ＰＥＴフィルム（８）／／ＨＤＰＥフィルム（３５）」が、剥離可能な外層に対応する。
【０２０３】
〔袋体の製造方法〕
積層フィルムｔ、積層フィルムｔとは異なる液体非透過性フィルムｕ、及び底部材ｖを用意する。
【０２０４】
フレキシブルダイで積層フィルムｔの内層に剥離きっかけ用内層ハーフカット及び開口用内層ハーフカットを刻設し、積層フィルムｔの外層に部分開封用表ハーフカットを刻設する。
【０２０５】
ＣＯ２レーザー照射器で積層フィルムｔ及び液体非透過性フィルムｕに切り裂き案内部及び切り裂き予定線を形成する。
【０２０６】
内層ハーフカットと切り裂き予定線が形成された積層フィルムｔ、切り裂き予定線が形成された液体非透過性フィルムｕ、底部材フィルムｖの各フィルムを、製袋機から繰り出す。
【０２０７】
繰り出し後、底部材ｖは２つ折りされ、更にその後、２つ折りされた底部材ｖに、図７の底部材ｖの切欠き部（１６）に対応する位置に、パンチングを行い、底部材ｖの切欠き部（１６）を形成する。
【０２０８】
同様に、繰り出し後、液体非透過性フィルムｕには、図７の剥離きっかけ部（４）に相対する箇所にパンチングを行い、剥離きっかけ部の内側面を部分的に露出させるための切欠き部を形成する。
【０２０９】
その後、積層フィルムｔと、切欠き部を有する液体非透過性フィルムｕとで、切欠き部（１６）を有する２つ折りされた底部材ｖを挟み込む。
【０２１０】
ヒートシーラーを用いて、１６０℃の温度、０．３ＭＰａの圧力及び１．５秒のシール時間という条件下で、底部シール部をヒートシールした後、側部シール部、及び、内周シール部をヒートシールして、上部シール部が未シールの状態の、連なった状態の袋を形成する。
【０２１１】
次の工程で、連なった状態の袋に、パンチングを行い、切り裂き案内部を形成し、更に、断裁刃を用いて、１つの分離された袋の形状に断裁加工して、袋体中間体ｗを得る。
【０２１２】
干しワカメなどの内容物を袋体中間体ｗに充填する。
【０２１３】
ヒートシーラーを用いて、１６０℃の温度、０．３ＭＰａの圧力及び１．５秒のシール時間という条件下で、袋体中間体ｗの上部をシールして、図７に示すような袋体を得る。
【符号の説明】
【０２１４】
１、１’    袋体
２    周縁シール部
３    袋部
４    剥離きっかけ部
５    切り裂き案内部
６    開口
７    液体非透過性フィルム（積層フィルム）
８    内層
９    剥離可能な外層
９ａ    外層ハーフカット
１０    液体非透過性フィルム（積層フィルムと対向するフィルム）
１１    内周シール部
１２    剥離きっかけ用内層ハーフカット
１３    開口用内層ハーフカット
１４    剥離剤のベタ印刷部
１５    内容物
１６    底部材の切欠き部
１７    未シール部
１８    剥離剤のドット印刷部
【図１】
2015147619.tif 000003
【図２】
2015147619.tif 000004
【図３】
2015147619.tif 000005
【図４】
2015147619.tif 000006
【図５】
2015147619.tif 000007
【図６】
2015147619.tif 000008
【図７】
2015147619.tif 000009
【図８】
2015147619.tif 000010
【図９】
2015147619.tif 000011